(57)【要約】【課題】意図しない本体カバーの外れを防止できるとともに、メンテナンス時に本体カバーを工具等で容易に取り外すことができる本体カバーの着脱構造を提供する。【解決手段】本発明に係る本体カバーの着脱構造には、電気が流れる可能性のある充電部を収容し、充電部に面するメンテナンス用開口部Ｈが形成されている本体部２と、本体部２に係止することによりメンテナンス用開口部Ｈを覆うことが可能で、かつ、メンテナンス用開口部Ｈに対して着脱可能な本体カバー２４と、が備えられ、本体部２に、爪部２４ｃを係止する孔部２１ｂと、本体部２に本体カバー２４を取り付けた状態で、切り欠き部２４ｈの中央側に位置して塞ぐリブ部２１ｅが設けられ、切り欠き部２４ｈの縁部とリブ部２１ｅとの間に、外側から充電部側に向かうにつれて断面積の小さくなるテーパ状の工具差し込み用隙間２４ｈ１・２４ｈ２が設けられている。【選択図】図６
2020192179.tif 000002
【特許請求の範囲】
【請求項１】
電気が流れる可能性のある充電部を収容し、前記充電部に面するメンテナンス用開口部が形成されている本体部と、
前記本体部に係止することにより前記メンテナンス用開口部を覆うことが可能で、かつ、前記メンテナンス用開口部に対して着脱可能な本体カバーと、が備えられ、
前記本体カバーに、縁部に形成されて外側から前記充電部に向けて貫通する切り欠き部と、前記切り欠き部の近傍に形成される係止用の爪部と、が設けられ、
前記本体部に、前記爪部を係止する孔部と、前記本体部に前記本体カバーを取り付けた状態で、前記切り欠き部の中央側に位置して塞ぐリブ部が設けられ、
前記切り欠き部の縁部と前記リブ部との間に、外側から前記充電部側に向かうにつれて断面積の小さくなるテーパ状の工具差し込み用隙間が設けられている、
本体カバーの着脱構造。
【請求項２】
前記リブ部は、前記孔部に対する前記爪部の挿入方向に対して平行に形成されている、
請求項１に記載の本体カバーの着脱構造。
【請求項３】
前記リブ部は、
前記本体部における外側の開口端部から前記孔部に至る位置まで連続で形成されている、
請求項１または２に記載の本体カバーの着脱構造。
【請求項４】
前記リブ部によって前記切り欠き部が複数の隙間に区画され、
各前記隙間は、テストフィンガーネイルが挿入できない大きさである、
請求項１〜３の何れか一項に記載の本体カバーの着脱構造。
【請求項５】
各前記隙間は、テストプローブが挿入できない大きさである、
請求項１〜４の何れか一項に記載の本体カバーの着脱構造。
【発明の詳細な説明】
【技術分野】
【０００１】
本発明は、本体カバーの着脱構造に関する。
【背景技術】
【０００２】
電気炊飯器等の家電製品においては、従来より、例えば、特許文献１に開示されているような本体カバーの着脱構造が採用されている。
【０００３】
本体カバーは、例えば、本体部に収容されている電気が流れる可能性のある部分を覆うようになっており、本体カバーは、本体部の内部のメンテナンス等が行えるようにするために、本体部に対して着脱可能となっている。
【先行技術文献】
【特許文献】
【０００４】
【特許文献１】特開２００３−１６４３７３号公報
【発明の概要】
【発明が解決しようとする課題】
【０００５】
ところで、本体部に係止して取り付けるタイプの本体カバーは、工具等で着脱できるように縁部に切り欠き部が設けられている。極端な使用シーンでは、その切り欠き部に、指を誤って差し込んだり、着用するアクセサリー等の一部を引っ掛けたりして、意図せず本体カバーを外してしまう人が出現することも想定される。そのような場合、ユーザーが本体部の内部の電気が流れる可能性のある部分に晒されることになるため、そのような状況が極力生じ難くするように改善を施す余地があった。
【０００６】
本発明は、斯かる現状の課題に鑑みてなされたものであり、意図しない本体カバーの外れを防止できるとともに、メンテナンス時に本体カバーを工具等で容易に取り外すことができる本体カバーの着脱構造を提供することを目的としている。
【課題を解決するための手段】
【０００７】
本発明の解決しようとする課題は以上の如くであり、次にこの課題を解決するための手段を説明する。
【０００８】
即ち、本発明に係る本体カバーの着脱構造は、
電気が流れる可能性のある充電部を収容し、前記充電部に面するメンテナンス用開口部が形成されている本体部と、
前記本体部に係止することにより前記メンテナンス用開口部を覆うことが可能で、かつ、前記メンテナンス用開口部に対して着脱可能な本体カバーと、が備えられ、
前記本体カバーに、縁部に形成されて外側から前記充電部に向けて貫通する切り欠き部と、前記切り欠き部の近傍に形成される係止用の爪部と、が設けられ、
前記本体部に、前記爪部を係止する孔部と、前記本体部に前記本体カバーを取り付けた状態で、前記切り欠き部の中央側に位置して塞ぐリブ部が設けられ、
前記切り欠き部の縁部と前記リブ部との間に、外側から前記充電部側に向かうにつれて断面積の小さくなるテーパ状の工具差し込み用隙間が設けられているものである。
【０００９】
このような構成によれば、カバーの切り欠き部から、指が差し入れようとしたり、フック状のものを差し入れようとしても、本体部に形成されたリブ部で切り欠き部が塞がれているので、そのようなことが行えなくなっている。このため、本体部に係止して取り付けるタイプの本体カバーであっても、ユーザーが意図せず本体カバーを外してしまうことを有効に防止できる。一方、メンテナンス等の際に本体カバーを取り外す際には、テーパ状の工具差し込み用隙間に、マイナスドライバー等の先端を差し込み、テコの力を掛けることにより、孔部に対する爪部の係止を解除して、本体カバーの取り外しを容易に行うことができる。
よって、本発明であれば、意図しない本体カバーの外れを防止できるとともに、メンテナンス時に本体カバーを工具等で容易に取り外すことができる本体カバーの着脱構造を構成できる。
【００１０】
本発明に係る本体カバーの着脱構造において、前記リブ部は、前記孔部に対する前記爪部の挿入方向に対して平行に形成されていると好適である。
【００１１】
このような構成によれば、本体カバーを取り外す際に、リブ部が治具を案内する役割を果たすため、本体カバーの取り外しが容易になる。
【００１２】
本発明に係る本体カバーの着脱構造において、前記リブ部は、前記本体部における外側の開口端部から前記孔部に至る位置まで連続で形成されていると好適である。
【００１３】
このような構成によれば、本体カバーを取り付ける際に、リブ部が爪部を案内する役割を果たすため、爪部を引っ掛からせることなく、返り部が孔部を超える位置まで確実に挿入することができる。
【００１４】
本発明に係る本体カバーの着脱構造において、前記リブ部によって前記切り欠き部が複数の隙間に区画され、各前記隙間は、テストフィンガーネイルが挿入できない大きさであると好適である。
【００１５】
このような構成によれば、本体カバーを、ＩＥＣ規格６０３３５−１で規定された「着脱できない部分」に該当するものとすることができる。
【００１６】
本発明に係る本体カバーの着脱構造において、各前記隙間は、テストプローブが挿入できない大きさであると好適である。
【００１７】
このような構成によれば、本体カバーをＩＥＣ規格６０３３５−１で規定された「着脱できない部分」に該当するものとすることができる。
【図面の簡単な説明】
【００１８】
【図１】本発明の一実施形態に係る本体カバーの着脱構造を備えた炊飯器の全体構成を示した図、（Ａ）斜視図、（Ｂ）背面図。
【図２】本発明の一実施形態に係る本体カバーの着脱構造を備えた炊飯器の全体構成（持ち手を外した状態）を示した図、（Ａ）右側面図、（Ｂ）背面図。
【図３】炊飯器の制御ブロック図。
【図４】メンテナンス用開口部を示す図、（Ａ）、メンテナンス用開口部（本体カバーを外した状態）を示す部分斜視模式図、（Ｂ）孔部に対する爪部の挿入状況を示す部分斜視模式図。
【図５】メンテナンス用開口部に取り付けた本体カバーの周辺部を示す部分背面図。
【図６】図５におけるＡ−Ａ断面矢視図。
【図７】図４におけるＢ−Ｂ断面矢視図。
【図８】本体カバーを示す図、（Ａ）背面図、（Ｂ）右側面図、（Ｃ）図８（Ａ）におけるＣ−Ｃ断面矢視図、（Ｄ）図８（Ａ）におけるＤ−Ｄ断面矢視図。
【図９】開口部の形成状況を示す部分模式図、（Ａ）開口部ｘ１・ｘ２（リブ部がある場合）を示す図、（Ｂ）開口部Ｘ（リブ部がない場合）を示す図。
【図１０】開口部の形成状況を示す部分模式図、（Ａ）開口部ｙ１・ｙ２（リブ部がある場合）を示す図、（Ｂ）開口部Ｙ（リブ部がない場合）を示す図。
【図１１】試験用器具を示す図、（Ａ）テストフィンガーネイルを示す図、（Ｂ）テストプローブを示す図。
【発明を実施するための形態】
【００１９】
［炊飯器の全体構成］
図１および図２に示す炊飯器１は、本発明に係る本体カバーの着脱構造を備えた機器の一実施形態であり、本体部２と蓋体３を備えている。なお、説明の便宜上、炊飯器１に対して、図１および図２に示した矢印のように、前後方向、左右方向、および上下方向を規定している。また、以下の説明における、前、後、左、右、上、下等の記載は、炊飯器１を構成する各部が、炊飯器１が使用される際の所定位置に組み付けられている状態を基準として向きを表している。
【００２０】
本体部２は、炊飯器１の外殻の一部を構成する部位であり、蓋体３の下方に配置され、内釜（図示せず）や後述する加熱部６および制御装置９の一部を収容するための空間を形成する。なお、本体部２には、炊飯器１を持ち運ぶ際に用いる回動可能な持ち手５が付設されている。
【００２１】
蓋体３は、炊飯器１の外殻の一部を構成する部位であり、本体部２の上方に配置され、後述する加熱部６および制御装置９の一部を収容するための空間を形成するとともに、本体部２の内部に形成された内釜の収容空間（図示せず）を封止可能に構成されている。
【００２２】
図２（Ａ）に示すように、炊飯器１は、ヒンジ４を備えている。ヒンジ４は、本体部２の後端上部と蓋体３の後端下部を回動可能に連結している。蓋体３は、前後方向および略上下方向を向く姿勢の間で本体部２に対して回動可能に構成されている。
【００２３】
炊飯器１は、図３に示すように、加熱部６を備えている。加熱部６は、内釜（図示せず）を加熱するための手段であり、メインヒータ６ａ、側面ヒータ６ｂ、肩ヒータ６ｃ、蓋ヒータ６ｄにより構成している。メインヒータ６ａ、側面ヒータ６ｂおよび肩ヒータ６ｃは、本体部２の内部に配置されており、蓋ヒータ６ｄは、蓋体３の内部に配置されている。
【００２４】
炊飯器１は、制御装置９を備えている。図２（Ａ）および図３に示すように、制御装置９の一部を構成する基板９ａは、本体部２の内部に収容されている。制御装置９の基板９ａと蓋ヒータ６ｄは、配線９ｂによって電気的に接続されている。配線９ｂは、本体部２と蓋体３を跨ぐようにして、本体カバー２４の裏側に配線されている。加熱部６を構成する各ヒータ６ａ・６ｂ・６ｃ・６ｄの出力は、ユーザーの設定や制御装置９に予め設定されているプログラム等に応じて、制御装置９によって個別に制御可能である。
【００２５】
さらに、図１および図３に示すように、蓋体３には、炊飯時に発生する蒸気を排出するための蒸気排出ユニット１３が備えられている。蒸気排出ユニット１３は、蒸気排出口１３ａを開閉する弁体（図示せず）を備えている。
【００２６】
図３に示すように、制御装置９は、炊飯器１の炊飯動作を制御する装置であり、所謂マイコンにより構成されている。制御装置９は、加熱部６、操作部１０、センタセンサ１１、と接続されている。
【００２７】
図１〜図３に示すように、操作部１０は、ユーザーが炊飯器１に対して操作指示を行うための部位であり、操作スイッチ１０ａ、表示部１０ｂ、報知部１０ｃを備えている。ユーザーは、操作スイッチ１０ａを操作することによって好みの炊き加減等を選択する。表示部１０ｂは、ユーザーによる炊き加減の選択状況や炊飯の進行状況等を表示可能な画面により構成されている。報知部１０ｃは、炊き上がりや炊飯器１の異常等を音や表示でユーザーに報知するための部位であり、スピーカや表示ランプ等により構成されている。
【００２８】
制御装置９は、ユーザーが操作部１０により炊飯モードを選択すると、選択された炊飯モードに応じたプログラムに従って加熱部６の出力を調整する。また、制御装置９には、センタセンサ１１の検出結果がフィードバックされ、さらに加熱部６への出力を調整する。センタセンサ１１は、内釜（図示せず）の温度を検出する温度センサである。
【００２９】
[炊飯器の本体の詳細な構成]
図１および図２に示すように、炊飯器１を構成する本体部２は、肩部材２１、胴部材２２、底部材２３を組み合わせて構成されている。本実施形態で示す本体部２は、肩部材２１と底部材２３が樹脂製であり、胴部材２２が金属製である。そして、肩部材２１の後部には、本体部２の内部をメンテナンスするときに使用する開口部であるメンテナンス用開口部Ｈが形成されている。
【００３０】
本体カバー２４は、メンテナンス用開口部Ｈを塞いで、電気が流れる可能性のある充電部（例えば、可動部であるヒンジ４や、配線９ｂ）に、ユーザーが通常の使用状態において触れられないように隠蔽する役割を果たしている。メンテナンス用開口部Ｈは、充電部の後側に面して形成されている。つまり、メンテナンス用開口部Ｈは、本体部２の内部をメンテナンスする際に、ヒンジ４や配線９ｂ等を露出させることを可能にするために設けた開口部であり、通常の使用状態では、本体カバー２４によって塞がれている。
【００３１】
なお、ここでいう「充電部」とは、通電される配線（電源線および制御線）や端子が露出しており、ユーザーが触れた場合に感電するまたは感電する恐れがある部位を指す。また、メンテナンス用開口部Ｈは、「可動部」を覆うものであってもよい。ここでいう「可動部」とは、回転やスライド等の動作が可能であって、ユーザーの指等が挟まれるまたは挟まれる恐れがある部位を指し、ヒンジ４等が該当する。
【００３２】
即ち、炊飯器１における本体カバー２４は、メンテナンス用開口部Ｈに位置する充電部を塞ぐものである。炊飯器１は、充電部を塞ぐための本体カバー２４を、簡易に設けることができるように構成されている。
【００３３】
[肩部材の詳細な構成]
図４（Ａ）に示すように、肩部材２１は、メンテナンス用開口部Ｈ（薄墨を付した範囲）の上端に位置するフック部２１ａ・２１ａを備えている。フック部２１ａは、メンテナンス用開口部Ｈの所定位置に本体カバー２４を取り付ける際に、本体カバー２４の上部（後述する支持ステー２４ｂ）を係止する役割を果たす部位である。
【００３４】
また、肩部材２１は、メンテナンス用開口部Ｈの下端に位置する左右一対の孔部２１ｂ・２１ｂを備えている。孔部２１ｂは、メンテナンス用開口部Ｈの所定位置に本体カバー２４を取り付ける際に、本体カバー２４の下部（後述する爪部２４ｃ）を係止する役割を果たす部位である。孔部２１ｂ・２１ｂは、背面視において、炊飯器１の中心線に対して左右対称に形成されている。
【００３５】
図５および図６に示すように、孔部２１ｂを前方側に抜けた先には、孔部２１ｂの下面に対して略垂直な平面である係止部２１ｃが形成されている。係止部２１ｃは、本体カバー２４の下部（後述する爪部２４ｃの返り部２４ｆ）を係止する役割を果たす部位である。
【００３６】
図４（Ａ）に示すように、肩部材２１は、メンテナンス用開口部Ｈの下端中央部において、さらに孔部２１ｄを備えている。孔部２１ｄは、メンテナンス用開口部Ｈの所定位置に本体カバー２４を取り付ける際に、本体カバー２４の下部（後述する爪部２４ｄ）を係止する役割を果たす部位である。
【００３７】
図５および図７に示すように、孔部２１ｄを前方側に抜けた先には、孔部２１ｄの下面に対して略垂直な平面である係止部２１ｇが形成されている。係止部２１ｇは、本体カバー２４の下部（後述する爪部２４ｄの返り部２４ｇ）を係止する役割を果たす部位である。
【００３８】
また、図４（Ａ）に示すように、肩部材２１は、メンテナンス用開口部Ｈの下端に位置するリブ部２１ｅ・２１ｅを左右一対で備えている。リブ部２１ｅは、上向き凸状の形態を有する部位である。リブ部２１ｅ・２１ｅは、背面視において、炊飯器１の中心線に対して左右対称に配置されている。リブ部２１ｆは、背面視において、孔部２１ｂの幅方向における中央の位置に形成されている。リブ部２１ｆは、前後方向において、メンテナンス用開口部Ｈの開口端部から孔部２１ｂに至るまでの範囲に連続して形成されている。リブ部２１ｅは、各孔部２１ｂに対する爪部２４ｃの挿入方向に対して平行に形成されている。
【００３９】
さらに、肩部材２１には、メンテナンス用開口部Ｈの下端に位置するリブ部２１ｆを備えている。リブ部２１ｆは、上向き凸状の形態を有する部位である。リブ部２１ｆは、背面視において、孔部２１ｄの幅方向における中央の位置に形成されている。また、リブ部２１ｆは、前後方向において、メンテナンス用開口部Ｈの開口端部から孔部２１ｄに至るまでの範囲に連続して形成されている。リブ部２１ｆは、孔部２１ｄに対する爪部２４ｄの挿入方向に対して平行に形成されている。
【００４０】
なお、図６および図７に示すように、各リブ部２１ｅ・２１ｅ・２１ｆは、その上面が後方から前方に向かって先上がりとなる傾斜を有している。
【００４１】
[本体カバーの詳細な構成]
図８（Ａ）〜（Ｄ）に示すように、本体カバー２４は、背面視で略矩形状の形態を有する樹脂製の部材であり、メンテナンス用開口部Ｈの開口形状に略一致する外形形状を有する板状のプレート部２４ａを備えている。
【００４２】
また、本体カバー２４は、プレート部２４ａの上端部より前方に向けて突設された支持ステー２４ｂ・２４ｂを左右一対で備えている。支持ステー２４ｂには、上向きに開口された凹部２４ｅが形成されている。
【００４３】
また、本体カバー２４は、プレート部２４ａの下端部より前方に向けて左右一対で突設された爪部２４ｃ・２４ｃを備えている。爪部２４ｃには、下向きに突設された返り部２４ｆが形成されている。返り部２４ｆは、爪部２４ｃより、切り欠き部２４ｈの形成方向視における切り欠き部２４ｈの形成範囲内にはみ出して突設されている。
【００４４】
さらに、本体カバー２４は、プレート部２４ａの下端部中央より前方に向けて突設された爪部２４ｄを備えている。爪部２４ｄには、下向きに突設された返り部２４ｇが形成されている。返り部２４ｇは、爪部２４ｄより、切り欠き部２４ｊの形成方向視における切り欠き部２４ｊの形成範囲内にはみ出して突設されている。
【００４５】
本体カバー２４は、プレート部２４ａの下端縁部を矩形状に切り欠いた部位である切り欠き部２４ｈを備えている。切り欠き部２４ｈは、プレート部２４ａを厚み方向に貫通するように形成されている。切り欠き部２４ｈは、左右方向において爪部２４ｃの形成範囲に略一致し、前後方向において後端から爪部２４ｃに至る範囲に形成されている。
【００４６】
また、本体カバー２４は、プレート部２４ａの下端縁部を矩形状に切り欠いた部位である切り欠き部２４ｊを備えている。切り欠き部２４ｊは、プレート部２４ａを厚み方向に貫通するように形成されている。切り欠き部２４ｊは、左右方向において爪部２４ｄの形成範囲に略一致し、前後方向において後端から爪部２４ｄに至る範囲に形成されている。
【００４７】
さらに本体カバー２４には、蓋体３を後側に回動させたときに、ヒンジ４が本体カバー２４に接触しないようにするための切り欠き部２４ｋが形成されている。
【００４８】
[本体カバーの取り付け方法]
図５〜図７に示すように、本体カバー２４は、肩部材２１のメンテナンス用開口部Ｈが形成された所定位置に取り付けられる。
【００４９】
メンテナンス用開口部Ｈを塞ぐ所定位置に本体カバー２４を取り付けるときには、まず、本体カバー２４の上端に位置する支持ステー２４ｂ・２４ｂの各凹部２４ｅ・２４ｅにフック部２１ａ・２１ａを入り込ませる。その後、本体カバー２４の下部を本体部２側に押し込むようにし、各爪部２４ｃ・２４ｄを各孔部２１ｂ・２１ｄに挿入していく。このとき、図４（Ｂ）に示すように、爪部２４ｄは、リブ部２１ｆに沿って案内されながら、周囲に引っ掛かることなく孔部２１ｄに挿入される。そして、本体カバー２４は、最終的に返り部２４ｇが孔部２１ｄを超え、該返り部２４ｇが係止部２１ｇによって係止される位置まで挿入される。なお、図４（Ｂ）では、孔部２１ｄに対する爪部２４ｄの挿入状況のみを図示しているが、孔部２１ｂに対する爪部２４ｃの挿入状況も同様である。
【００５０】
[本体カバーの取り付け状態]
炊飯器１では、メンテナンス用開口部Ｈを塞ぐ所定位置に本体カバー２４が取り付けられると、支持ステー２４ｂ・２４ｂが、肩部材２１（より詳しくは、フック部２１ａ）に対して係止される。
【００５１】
また、メンテナンス用開口部Ｈを塞ぐ所定位置に本体カバー２４を取り付けられると、爪部２４ｃが、孔部２１ｂに挿入される。爪部２４ｃは、返り部２４ｆが孔部２１ｂを通過する位置まで挿入される。爪部２４ｃは、返り部２４ｆが孔部２１ｂを通過する位置まで挿入されると、爪部２４ｃの有する弾性によって、返り部２４ｆが下方に変位され、これにより、返り部２４ｆが係止部２１ｃによって係止される。これにより、爪部２４ｃ・２４ｃが、肩部材２１（より詳しくは、係止部２１ｃ）に対して係止される。
【００５２】
そして、炊飯器１では、メンテナンス用開口部Ｈを塞ぐ所定位置に本体カバー２４を取り付けたときに、切り欠き部２４ｈと肩部材２１によって囲まれた空間が形成される。その空間は、図９（Ｂ）に示すように、背面視において、開口部Ｘ（薄墨を付した範囲）として現れる。
【００５３】
さらに、炊飯器１では、メンテナンス用開口部Ｈを塞ぐ所定位置に本体カバー２４を取り付けたときに、爪部２４ｄが、孔部２１ｄに挿入される。爪部２４ｄは、返り部２４ｇが孔部２１ｄを通過する位置まで挿入される。爪部２４ｄは、返り部２４ｇが孔部２１ｄを通過する位置まで挿入されると、爪部２４ｄの有する弾性によって、返り部２４ｇが下方に変位され、これにより、返り部２４ｇが係止部２１ｇによって係止される。これにより、爪部２４ｄが、肩部材２１（より詳しくは、係止部２１ｇ）に対して係止される。
【００５４】
そして、炊飯器１では、メンテナンス用開口部Ｈを塞ぐ所定位置に本体カバー２４を取り付けたとき、切り欠き部２４ｊと肩部材２１によって囲まれた空間が形成される。その空間は、図１０（Ｂ）に示すように、背面視において、開口部Ｙ（薄墨を付した範囲）として現れる。
【００５５】
そして、炊飯器１は、メンテナンス用開口部Ｈを塞ぐ所定位置に本体カバー２４を取り付けたときに、各リブ部２１ｅ・２１ｅ・２１ｆが、各切り欠き部２４ｈ・２４ｈ・２４ｊの左右方向の中央に配置されるように構成されている。即ち、本発明に係る本体カバー２４の着脱構造では、メンテナンス用開口部Ｈに本体カバー２４を取り付けたときに、切り欠き部２４ｈが、リブ部２１ｅによって、工具差し込み用隙間２４ｈ１・２４ｈ２に区画されるとともに、切り欠き部２４ｊが、リブ部２１ｆによって工具差し込み用隙間２４ｊ１・２４ｊ２に区画される。
【００５６】
図９（Ａ）に示すように、切り欠き部２４ｈの端部に形成される開口部Ｘは、リブ部２１ｅによって二つの開口部ｘ１・ｘ２に二分され、かつ、図１０（Ａ）に示すように、切り欠き部２４ｊの端部に形成される開口部Ｙは、リブ部２１ｆによって二つの開口部ｙ１・ｙ２に二分される。
【００５７】
また、図９（Ａ）に示すように、リブ部２１ｅは、その上面が後方から前方に向かって先上がりとなる傾斜を有している。このため、炊飯器１では、メンテナンス用開口部Ｈの所定位置に本体カバー２４を取り付けたとき、リブ部２１ｅの上面と、切り欠き部２４ｈとの間に、後方から前方に向かって先細りとなる（即ち、仰角が小さくなる）隙間Ｓ１が形成される。隙間Ｓ１を備えた工具差し込み用隙間２４ｈ１・２４ｈ２は、メンテナンス用開口部Ｈから本体カバー２４を取り外す際に、切り欠き部２４ｈに治具を挿入するための手掛かりとなる。
【００５８】
また同様に、図１０（Ａ）に示すように、リブ部２１ｆは、その上面が後方から前方に向かって先上がりとなる傾斜を有している。このため、炊飯器１では、メンテナンス用開口部Ｈの所定位置に本体カバー２４を取り付けたとき、リブ部２１ｆの上面と、切り欠き部２４ｊとの間に、後方から前方に向かって先細りとなる（即ち、仰角が小さくなる）隙間Ｓ２が形成される。隙間Ｓ２を備えた工具差し込み用隙間２４ｊ１・２４ｊ２は、メンテナンス用開口部Ｈから本体カバー２４を取り外す際に、切り欠き部２４ｊに治具を挿入するための手掛かりとなる。
【００５９】
即ち、炊飯器１において、本体カバー２４と各リブ部２１ｅ・２１ｆとの間の隙間Ｓ１・Ｓ２は、本体部２の内部に向かって狭くなるように構成されている。このような構成によれば、本体カバー２４を取り外す際に、隙間Ｓ１を備えた工具差し込み用隙間２４ｈ１・２４ｈ２、および隙間Ｓ２を備えた工具差し込み用隙間２４ｊ１・２４ｊ２に沿って容易に治具（マイナスドライバー）を差し込むことができるため、本体カバー２４の取り外しが容易に行え、ひいては、炊飯器１のメンテナンス性が確保される。
【００６０】
また、炊飯器１において、各リブ部２１ｅ・２１ｆは、各孔部２１ｂ・２１ｄに対する爪部２４ｃ・２４ｄの挿入方向に対して平行に形成されている。このような構成によれば、本体カバー２４を取り外す際に、各リブ部２１ｅ・２１ｆが治具を案内する役割を果たすため、本体カバー２４の取り外しが容易になる。
【００６１】
さらに、炊飯器１において、各リブ部２１ｅ・２１ｆは、本体部２におけるメンテナンス用開口部Ｈの開口端部から各孔部２１ｂ・２１ｄに至る位置まで連続で形成されている。このような構成によれば、本体カバー２４を取り付ける際に、各リブ部２１ｅが各爪部２４ｃ・２４ｄを案内する役割を果たすため、各爪部２４ｃ・２４ｄを引っ掛からせることなく、各返り部２４ｆ・２４ｇが各孔部２１ｂ・２１ｄを超える位置まで確実に挿入することができる。
【００６２】
[本体カバーの着脱構造の具体例]
本実施形態で示す炊飯器１は、メンテナンス用開口部Ｈを塞ぐ所定位置に本体カバー２４を取り付けたとき、肩部材２１と切り欠き部２４ｈによって、開口部Ｘ（図９（Ｂ）参照）が形成される。炊飯器１における開口部Ｘの具体的な寸法は、幅が約８．５ｍｍ、高さが約２．４ｍｍである。
【００６３】
また、炊飯器１では、メンテナンス用開口部Ｈを塞ぐ所定位置に本体カバー２４を取り付けたとき、肩部材２１と切り欠き部２４ｊによって、開口部Ｙ（図１０（Ｂ）参照）が形成される。炊飯器１における開口部Ｙの具体的な寸法は、幅が約１０．９ｍｍ、高さが約２．４ｍｍである。
【００６４】
また、炊飯器１における各リブ部２１ｅ・２１ｅ・２１ｆの高さは、最後部が１．６ｍｍ程度で、最前部が２．１ｍｍ程度となっており、各リブ部２１ｅ・２１ｅ・２１ｆの上面が、後方から前方に向かって先上がりとなる傾斜を有している。また、各リブ部２１ｅ・２１ｅ・２１ｆの幅は、それぞれ１．５ｍｍ程度である。
【００６５】
そして、炊飯器１では、リブ部２１ｅによって、切り欠き部２４ｈが、二つの工具差し込み用隙間２４ｈ１・２４ｈ２に区画され、開口部Ｘが二つの開口部ｘ１・ｘ２に区画されている（図９（Ａ）参照）。開口部ｘ１・ｘ２は、それぞれ開口部Ｘよりも小さく、開口部ｘ１・ｘ２の互いの寸法は略同一であり、それぞれ幅が約３．５ｍｍ、高さが約２．４ｍｍである。
【００６６】
また、リブ部２１ｅの頂部と切り欠き部２４ｈとの間に形成される隙間Ｓ１（図９（Ａ）参照）は、最後部で０．８ｍｍ程度、最前部で０．３ｍｍ程度の、本体部２の内部に向かって先細りとなる形状を有している。本実施形態においては、隙間Ｓ１の仰角を約２°としている。
【００６７】
また、炊飯器１では、リブ部２１ｆによって、切り欠き部２４ｊが、二つの工具差し込み用隙間２４ｊ１・２４ｊ２に区画され、開口部Ｙが二つの開口部ｙ１・ｙ２に区画されている（図１０（Ａ）参照）。開口部ｙ１・ｙ２は、それぞれ開口部Ｙよりも小さく、開口部ｙ１・ｙ２の互いの寸法は略同一であり、それぞれ幅が約４．７ｍｍ、高さが約２．４ｍｍである。
【００６８】
また、リブ部２１ｆの頂部と切り欠き部２４ｊとの間に形成される隙間Ｓ２（図１０（Ａ）参照）は、最後部で０．８ｍｍ程度、最前部で０．３ｍｍ程度の、本体部２の内部に向かって先細りとなる形状を有している。本実施形態においては、隙間Ｓ２の仰角を約２°としている。
【００６９】
さらに、炊飯器１では、リブ部２１ｅを、前後方向において、メンテナンス用開口部Ｈの開口端部から孔部２１ｂに至るまでの範囲に連続して設ける構成としている。このような構成では、孔部２１ｂに爪部２４ｃを挿入する際に、リブ部２１ｅが爪部２４ｃの返り部２４ｆを案内する役割を果たし、返り部２４ｆの引っ掛かりを防止することで、爪部２４ｃを孔部２１ｂの所定位置までスムーズかつ確実に挿入することができる。
【００７０】
同様に、炊飯器１では、リブ部２１ｆを、前後方向において、メンテナンス用開口部Ｈの開口端部から孔部２１ｄに至るまでの範囲に連続して設ける構成としている。このような構成では、孔部２１ｄに爪部２４ｄを挿入する際に、リブ部２１ｆが爪部２４ｄの返り部２４ｇを案内する役割を果たし、返り部２４ｇの引っ掛かりを防止することで、爪部２４ｄを孔部２１ｄの所定位置までスムーズかつ確実に挿入することができる。
【００７１】
[試験結果の説明]
次に、各部が上記寸法を有する炊飯器１について、ＩＥＣ規格６０３３５−１の規定に従って試験を行った。その試験結果について説明する。
【００７２】
図１１（Ａ）には、ＩＥＣ規格６０５２９に規定されたテストフィンガーネイルＦを図示している。また、図１１（Ｂ）には、ＩＥＣ規格６１０３２に規定された引張力を加えるための「適当な手段」であるテストプローブＰを示している。テストプローブＰの各部の寸法ａ〜ｆは、ａ＝３１．５ｍｍ、ｂ＝１６ｍｍ、ｃ＝φ９．３ｍｍ、ｄ＝１２ｍｍ、ｅ＝φ５．５ｍｍ、ｆ＝３．８ｍｍである。また、鈎状部分を構成する鋼線の太さは、φ２．５ｍｍである。以下に説明するＩＥＣ規格６０３３５−１の規定による試験では、これらのテストフィンガーネイルＦとテストプローブＰを使用した。
【００７３】
[テストフィンガーネイルを用いた試験の結果]
まず、本発明に係る本体カバーの着脱構造を備えていない（即ち、リブ部２１ｅおよびリブ部２１ｆを備えていない）炊飯器について、試験を行った結果を示す。本発明に係る本体カバーの着脱構造を備えていない炊飯器では、メンテナンス用開口部Ｈに本体カバー２４を取り付けたときに、図９（Ｂ）に示す開口部Ｘと図１０（Ｂ）に示す開口部Ｙが形成される。
【００７４】
開口部Ｘおよび開口部Ｙに対しては、テストフィンガーネイルＦの先端が、約３．４ｍｍ挿入可能であった。そして、開口部Ｘおよび開口部ＹにテストフィンガーネイルＦの先端が３．４ｍｍ挿入されている状態から、最も不都合な方向に押力を加えると、メンテナンス用開口部Ｈから本体カバー２４が外れてしまう結果となった。ここで加えた具体的な押力は、テストプローブＰを用いて本体カバー２４に５０Ｎの引張力を加えつつ、開口部Ｘおよび開口部ＹにテストフィンガーネイルＦを挿し込み、さらに挿し込んだテストフィンガーネイルＦを１０Ｎの押力で横方向にスライドさせたものである。
【００７５】
次に、本発明に係る本体カバーの着脱構造を備えた（即ち、リブ部２１ｅおよびリブ部２１ｆを備えた）炊飯器１について、試験を行った結果を示す。炊飯器１では、メンテナンス用開口部Ｈに本体カバー２４を取り付けたときに、図９（Ａ）に示す開口部ｘ１・ｘ２と図１０（Ａ）に示す開口部ｙ１・ｙ２が形成される。
【００７６】
開口部ｘ１・ｘ２および開口部ｙ１・ｙ２に対しては、テストフィンガーネイルＦの先端が、約１．３ｍｍ挿入可能であった。そして、開口部ｘ１・ｘ２および開口部ｙ１・ｙ２にテストフィンガーネイルＦの先端が１．３ｍｍ挿入されている状態から、最も不都合な方向に所定の上記押力を加えても、メンテナンス用開口部Ｈから本体カバー２４が外れることがなかった。
【００７７】
また同時に、炊飯器１における本体カバー２４の着脱構造では、隙間Ｓ１・Ｓ２を手掛かりにしてテストフィンガーネイルＦを挿入できないことも確認できた。
【００７８】
炊飯器１では、リブ部２１ｅおよびリブ部２１ｆを設けて、各開口部ｘ１・ｘ２および開口部ｙ１・ｙ２を、テストフィンガーネイルＦが挿入できない寸法としたことで、本体カバー２４が、ＩＥＣ規格６０３３５−１で規定された「着脱できない部分」に該当するものと判断できる試験結果が得られた。
【００７９】
なお、リブ部２１ｅおよびリブ部２１ｆを設けた場合であっても、隙間Ｓ１・Ｓ２が大きい場合、隙間Ｓ１・Ｓ２がテストフィンガーネイルＦの進入を助ける手がかりとなる可能性がある。このため、隙間Ｓ１・Ｓ２が０．８ｍｍ以下となるように、リブ部２１ｅおよびリブ部２１ｆの高さを設定することが好ましい。このため、隙間Ｓ１・Ｓ２の仰角は、３°以下とすることが好ましく、２．５°以下とすることがより好ましい。
【００８０】
即ち、炊飯器１における本体カバー２４の着脱構造において、各リブ部２１ｅ・２１ｆによって区画された複数の工具差し込み用隙間２４ｈ１・２４ｈ２および工具差し込み用隙間２４ｊ１・２４ｊ２は、テストフィンガーネイルＦが挿入できない大きさの開口部ｘ１・ｘ２および開口部ｙ１・ｙ２を有するものである。このような構成によれば、本体カバー２４を、ＩＥＣ規格６０３３５−１で規定された「着脱できない部分」に該当するものとすることができる。なお、本実施形態では、各開口部ｘ１・ｘ２の寸法が略同一となるように各リブ部２１ｅ・２１ｆを設けているが、区画した後の各開口部の寸法が、テストフィンガーネイルＦを挿入できない寸法となっていればよく、また、一つの切り欠き部に対して複数のリブ部を設ける構成としてもよい。
【００８１】
[テストプローブを用いた試験の結果]
まず、本発明に係る本体カバーの着脱構造を備えていない（即ち、リブ部２１ｅおよびリブ部２１ｆを備えていない）炊飯器について、試験を行った結果を示す。
【００８２】
開口部Ｘおよび開口部Ｙに対しては、テストプローブＰの先端鈎状部を奥の深い位置まで挿入して引掛けることが可能であった。そして、開口部Ｘおよび開口部ＹにテストプローブＰを引掛けた状態から、最も不都合な方向に所定の引張力を加えると、メンテナンス用開口部Ｈから本体カバー２４が外れてしまう結果となった。
【００８３】
次に、本発明に係る本体カバーの着脱構造を備えた（即ち、リブ部２１ｅおよびリブ部２１ｆを備えていない）炊飯器１について、試験を行った結果を示す。開口部ｘ１・ｘ２および開口部ｙ１・ｙ２に対しては、テストプローブＰの先端鈎状部を引掛けることができなかった。このため、炊飯器１は、本試験の条件においてメンテナンス用開口部Ｈから本体カバー２４が外れてしまうことがない、ということが確認できた。
【００８４】
炊飯器１では、リブ部２１ｅおよびリブ部２１ｆを設けて、各開口部ｘ１・ｘ２および開口部ｙ１・ｙ２を、テストプローブＰが挿入できない寸法としたことで、本体カバー２４が、ＩＥＣ規格６０３３５−１で規定された「着脱できない部分」に該当するものと判断できる試験結果が得られた。
【００８５】
また同時に、炊飯器１における本体カバー２４の着脱構造では、隙間Ｓ１・Ｓ２を手掛かりにしてテストプローブＰを挿入できないことも確認できた。
【００８６】
そして、テストフィンガーネイルＦを用いた試験と、テストプローブＰを用いた試験の両結果より、炊飯器１における本体カバー２４の着脱構造が、ＩＥＣ６０３３５−１で規定された「着脱できない部分」に該当するものであることが確認できた。
【００８７】
即ち、炊飯器１における本体カバー２４の着脱構造において、各リブ部２１ｅ・２１ｆによって区画された複数の工具差し込み用隙間２４ｈ１・２４ｈ２および工具差し込み用隙間２４ｊ１・２４ｊ２は、テストプローブＰが挿入できない大きさの開口部ｘ１・ｘ２および開口部ｙ１・ｙ２を有するものである。このような構成によれば、本体カバー２４を、ＩＥＣ規格６０３３５−１で規定された「着脱できない部分」に該当するものとすることができる。なお、本実施形態では、各開口部ｘ１・ｘ２の寸法が略同一となるように各リブ部２１ｅ・２１ｆを設けているが、区画した後の各開口部の寸法が、テストプローブＰが挿入できない寸法となっていればよく、また、一つの切り欠き部に対して複数のリブ部を設ける構成としてもよい。
【００８８】
[本体カバーの着脱性]
前述の通り、炊飯器１では、図９（Ａ）に示す開口部ｘ１・ｘ２および図１０（Ａ）に示す開口部ｙ１・ｙ２に対して、テストフィンガーネイルＦやテストプローブＰを挿入することは困難であった。このことは、炊飯器１が通常の使用状態である場合、ユーザーがメンテナンス用開口部Ｈから本体カバー２４を不用意に取り外してしまう可能性が非常に低いことを示している。
【００８９】
本体カバー２４を取り外しにくい構成とすれば、メンテナンス性の低下が懸念されるが、炊飯器１における本体カバー２４の着脱構造では、工具差し込み用隙間２４ｈ１・２４ｈ２における隙間Ｓ１および差し込み用隙間２４ｊ１・２４ｊ２における隙間Ｓ２を利用することによって、開口部ｘ１・ｘ２および開口部ｙ１・ｙ２に対して、マイナスドライバー等の治具を容易に挿入することができる。そして、開口部ｘ１・ｘ２および開口部ｙ１・ｙ２に治具を挿入すれば、各返り部２４ｆ・２４ｇを各係止部２１ｃ・２１ｇから容易に外すことができ、メンテナンス用開口部Ｈから本体カバー２４を容易に取り外すことができる。即ち、炊飯器１における本体カバー２４の着脱構造は、本体カバー２４をＩＥＣ規格６０３３５−１で規定された「着脱できない部分」に該当するものとして構成しながら、従来と変わらない良好なメンテナンス性を確保している。
【００９０】
なお、本体カバー２４を取り外しにくい構成とすれば、意匠性の悪化も懸念されるが、炊飯器１における本体カバー２４の着脱構造では、外観上は、従来の構成に各リブ部２１ｅ・２１ｆを追加しただけのものに近いため、意匠性の悪化を招くようなこともない。また、既存製品を設計変更し、リブ部を設けることも比較的容易である。
【００９１】
即ち、本実施形態で示した炊飯器１における本体カバー２４の着脱構造は、電気が流れる可能性のある充電部を収容し、前記充電部に面するメンテナンス用開口部Ｈが形成されている本体部２と、本体部２に係止することによりメンテナンス用開口部Ｈを覆うことが可能で、かつ、メンテナンス用開口部Ｈに対して着脱可能な本体カバー２４と、が備えられ、本体カバー２４に、縁部に形成されて外側から前記充電部に向けて貫通する切り欠き部２４ｈ・２４ｊと、切り欠き部２４ｈ・２４ｊの近傍に形成される係止用の爪部２４ｃ・２４ｄと、が設けられ、本体部２に、爪部２４ｃ・２４ｄを係止する孔部２１ｂ・２１ｄと、本体部２に本体カバー２４を取り付けた状態で、切り欠き部２４ｈ・２４ｊの中央側に位置して塞ぐリブ部２１ｅ・２１ｆが設けられ、切り欠き部２４ｈ・２４ｊの縁部とリブ部２１ｅ・２１ｆとの間に、外側から前記充電部側に向かうにつれて断面積の小さくなるテーパ状の工具差し込み用隙間２４ｈ１・２４ｈ２および工具差し込み用隙間２４ｊ１・２４ｊ２が設けられているものである。
【００９２】
このような構成によれば、本体カバー２４の切り欠き部２４ｈ・２４ｊから、指を差し入れようとしたり、フック状のものを差し入れようとしても、本体部２に形成されたリブ部２１ｅ・２１ｆで切り欠き部２４ｈ・２４ｊが塞がれているので、そのようなことが行えなくなっている。このため、本体部２に係止して取り付けるタイプの本体カバー２４であっても、ユーザーが意図せず本体カバー２４を外してしまうことを有効に防止できる。一方、メンテナンス等の際に本体カバー２４を取り外す際には、テーパ状の工具差し込み用隙間２４ｈ１・２４ｈ２および工具差し込み用隙間２４ｊ１・２４ｊ２に、マイナスドライバー等の先端を差し込み、テコの力を掛けることにより、孔部２１ｂ・２１ｄに対する爪部２４ｃ・２４ｄの係止を解除して、本体カバー２４の取り外しを容易に行うことができる。よって、意図しない本体カバー２４の外れを防止できるとともに、メンテナンス時に本体カバー２４を工具等で容易に取り外すことができる。
【００９３】
また、このような構成を有する本体カバー２４の着脱構造によれば、ビス等を用いずに、簡易に本体部２に対して本体カバー２４を取り付けることが可能であり、当該本体カバー２４を、ＩＥＣ規格６０３３５−１で規定された「着脱できない部分」に該当するものとして構成することができる。
【００９４】
なお、本実施形態では、炊飯器１における本体カバー２４の着脱構造を例示したが、本発明に係る本体カバーの着脱構造を適用可能な機器はこれに限定されるものではなく、例えば電気ポット等であってもよく、可動部や充電部を備える機器であって、可動部や充電部を本体カバーによって覆う必要性のある機器全般に適用することが可能である。
【符号の説明】
【００９５】
２        本体部
２１ｂ    孔部
２１ｃ    係止部
２１ｄ    孔部
２１ｅ    リブ部
２１ｆ    リブ部
２１ｇ    係止部
２４      本体カバー
２４ａ    プレート部
２４ｃ    爪部
２４ｄ    爪部
２４ｆ    返り部
２４ｇ    返り部
２４ｈ    切り欠き部
２４ｈ１  工具差し込み用隙間
２４ｈ２  工具差し込み用隙間
２４ｊ    切り欠き部
２４ｊ１  工具差し込み用隙間
２４ｊ２  工具差し込み用隙間
Ｈ        メンテナンス用開口部
ｘ１      開口部
ｘ２      開口部
ｙ１      開口部
ｙ２      開口部
Ｆ        テストフィンガーネイル
Ｐ        テストプローブ
【図１】
2020192179.tif 000003
【図２】
2020192179.tif 000004
【図３】
2020192179.tif 000005
【図４】
2020192179.tif 000006
【図５】
2020192179.tif 000007
【図６】
2020192179.tif 000008
【図７】
2020192179.tif 000009
【図８】
2020192179.tif 000010
【図９】
2020192179.tif 000011
【図１０】
2020192179.tif 000012
【図１１】
2020192179.tif 000013